(57)【要約】      （修正有）【課題】エレベーター内のカーペットを交換する際にエレベーター内設置用収納ボックスを移動させる手間を無くすエレベーター内設置用収納ボックスを提供する。【解決手段】備蓄品を収納する筐体１００Ａと、筐体１００Ａの正面部１２０の少なくとも一部分を構成するとともに開閉自在な扉部分１２１とを備え、筐体１００Ａの底板部１４０における壁沿いの縁部分１４１から下方に延設されてエレベーター内の設置面ＦＬと接触する接触部１５０をさらに有し、接触部１５０が、設置面ＦＬに敷かれるカーペットＣＰの一部を収容自在な隙間を設置面ＦＬと底板部１４０との間に形成している。【選択図】図４
0003207905.tif 000002
【実用新案登録請求の範囲】
【請求項１】
備蓄品を収納する筐体と、前記筐体の正面部の少なくとも一部分を構成するとともに開閉自在な扉部分とを備えてエレベーター内の壁沿いに設置されるエレベーター内設置用収納ボックスにおいて、
前記筐体の底板部における壁沿いの縁部分から下方に延設されてエレベーター内の設置面と接触する接触部をさらに有し、
前記接触部が、前記設置面に敷かれるカーペットの一部を収容自在な隙間を設置面と底板部との間に形成していることを特徴とするエレベーター内設置用収納ボックス。
【請求項２】
前記筐体が、直角三角柱形状であり、
前記接触部が、前記底板部の縁部分から下方に延設された脚部分と、前記脚部分の先端と連結されて設置面と面接触する直角三角形状の板部分とを有し、
前記正面部の下端と板部分と脚部分とが、開口を形成し、
前記カーペットの一部が、前記開口に入り込み板部分の上に載置される構成であることを特徴とする請求項１に記載のエレベーター内設置用収納ボックス。
【考案の詳細な説明】
【技術分野】
【０００１】
本考案は、備蓄品を収納する筐体と、この筐体の正面部の少なくとも一部分を構成するとともに開閉自在な扉部分とを備えてエレベーター内の壁沿いに設置されるエレベーター内設置用収納ボックスに関する。
【背景技術】
【０００２】
従来、エレベーター内設置用収納ボックスとして、エレベーターの乗りかご内に設置されて非常時に使用する非常用品を収納する防災用収納ボックスが知られている（例えば、特許文献１および特許文献２）。
【先行技術文献】
【特許文献】
【０００３】
【特許文献１】特開２００９−１２０２９１号公報（特に図１参照）
【特許文献２】特開２００８−０８１２２４号公報（特に図１参照）
【考案の概要】
【考案が解決しようとする課題】
【０００４】
しかしながら、上述した従来の防災用収納ボックスは、エレベーターの乗りかご内において壁に寄せて設置面に単に載置されて防災用収納ボックスの底板が設置面と接触する構造であったため、エレベーター内のカーペットを交換する際、わざわざ防災用収納ボックスを一度移動させ、カーペットを交換後に防災用収納ボックスを元の位置に戻す必要があり、防災用収納ボックスの固定具としてのねじや両面テープを一度外してから付け直さなければならないという問題があった。
【０００５】
そこで、本考案は、前述したような従来技術の問題を解決するものであって、すなわち、本考案の目的は、エレベーター内のカーペットを交換する際にエレベーター内設置用収納ボックスを移動させる手間を無くすエレベーター内設置用収納ボックスを提供することである。
【課題を解決するための手段】
【０００６】
本請求項１に係る考案は、備蓄品を収納する筐体と、前記筐体の正面部の少なくとも一部分を構成するとともに開閉自在な扉部分とを備えてエレベーター内の壁沿いに設置されるエレベーター内設置用収納ボックスにおいて、前記筐体の底板部における壁沿いの縁部分から下方に延設されてエレベーター内の設置面と接触する接触部をさらに有し、前記接触部が、前記設置面に敷かれるカーペットの一部を収容自在な隙間を設置面と底板部との間に形成していることにより、前述した課題を解決するものである。
【０００７】
本請求項２に係る考案は、請求項１に記載されたエレベーター内設置用収納ボックスの構成に加えて、前記筐体が、直角三角柱形状であり、前記接触部が、前記底板部の縁部分から下方に延設された脚部分と、前記脚部分の先端と連結されて設置面と面接触する直角三角形状の板部分とを有し、前記正面部の下端と板部分と脚部分とが、開口を形成し、前記カーペットの一部が、前記開口に入り込み板部分の上に載置される構成であることにより、前述した課題をさらに解決するものである。
【考案の効果】
【０００８】
本考案のエレベーター内設置用収納ボックスは、筐体と、筐体の正面部の少なくとも一部分を構成するとともに開閉自在な扉部分とを備えていることにより、エレベーター内で備蓄品を収納することができるばかりでなく、以下のような特有の効果を奏することができる。
【０００９】
本請求項１に係る考案のエレベーター内設置用収納ボックスによれば、設置面の形状に設けられたカーペットが設置面に敷かれたときにカーペットの一部が隙間に入り込むため、カーペットを交換する際にエレベーター内設置用収納ボックスを移動させる手間を無くして設置面と底板部との間の隙間に対してカーペットの一部を抜き差しするようにして容易にカーペットを交換することができる。
【００１０】
本請求項２に係る考案のエレベーター内設置用収納ボックスによれば、請求項１に係る考案が奏する効果に加えて、設置面に対する接触が面接触となり、備蓄品およびエレベーター内設置用収納ボックスの荷重が分散されるため、設置面の損傷を回避することができる。
さらに、脚部分と板部分との連結によって接触部の剛性が高まるため、エレベーター内設置用収納ボックスの全体の剛性を高めることができる。
また、開口内に入ったカーペットの荷重が板部分に作用するため、エレベーター内設置用収納ボックスを倒れにくくしてエレベーター内設置用収納ボックスの立った姿勢をより効果的に安定させることができる。
特に、筐体が直角三角柱形状であり、エレベーター内設置用収納ボックスがエレベーター内の隅に設置される場合、四角柱形状と比べて立った姿勢が不安定でエレベーター内の隅から中央に向かって倒れやすいので、本考案の構成は効果的である。
【図面の簡単な説明】
【００１１】
【図１】本考案の実施例であるエレベーター内設置用収納ボックスを示す斜視図。
【図２】扉部分が開いた状態を示す斜視図。
【図３】（Ａ）は図１に示す符号３Ａから視た上面図、（Ｂ）は図１に示す符号３Ｂから視た正面図、（Ｃ）は図１に示す符号３Ｃから視た側方透視図。
【図４】エレベーター内でカーペットとエレベーター内設置用収納ボックスとの関係を示す斜視図。
【図５】（Ａ）は図４に示す符号５Ａから視た上面図、（Ｂ）は図４に示す符号５Ｂから視た側方透視図。
【考案を実施するための形態】
【００１２】
本考案は、備蓄品を収納する筐体と、筐体の正面部の少なくとも一部分を構成するとともに開閉自在な扉部分とを備えてエレベーター内の壁沿いに設置されるエレベーター内設置用収納ボックスにおいて、筐体の底板部における壁沿いの縁部分から下方に延設されてエレベーター内の設置面と接触する接触部をさらに有し、接触部が、設置面に敷かれるカーペットの一部を収容自在な隙間を設置面と底板部との間に形成していることにより、カーペットを交換する際にエレベーター内設置用収納ボックスを移動させる手間を無くして設置面と底板部との間の隙間に対してカーペットの一部を抜き差しするようにしてカーペットの交換が容易になるものであれば、その具体的な実施態様は、如何なるものであっても構わない。
【００１３】
例えば、筐体の概略形状は、三角柱でも四角柱でもよい。
また、エレベーター内設置用収納ボックスは、ある程度の剛性があれば、エレベーター内設置用収納ボックスの材質は如何なるものであっても構わない。
【実施例】
【００１４】
以下に、本考案の実施例であるエレベーター内設置用収納ボックス１００について、図１乃至図５（Ｂ）に基づいて説明する。
ここで、図１は、本考案の実施例であるエレベーター内設置用収納ボックス１００を示す斜視図であり、図２は、扉部分１２１が開いた状態を示す斜視図であり、図３（Ａ）は、図１に示す符号３Ａから視た上面図であり、図３（Ｂ）は、図１に示す符号３Ｂから視た正面図であり、図３（Ｃ）は、図１に示す符号３Ｃから視た側方透視図であり、図４は、エレベーター内においてカーペットＣＰとエレベーター内設置用収納ボックス１００との関係を示す斜視図であり、図５（Ａ）は、図４に示す符号５Ａから視た上面図であり、図５（Ｂ）は、図４に示す符号５Ｂから視た側方透視図である。
【００１５】
本考案の実施例であるエレベーター内設置用収納ボックス１００は、図１乃至図５（Ｂ）に示すように、備蓄品を収納する筐体１００Ａを備え、エレベーター内の壁ＷＬに沿って設置されるように構成されている。
エレベーター内設置用収納ボックス１００は、所謂、非常時に使用する備蓄品を収納する防災用品収納ボックスである。
本実施例では、筐体１００Ａは、一例として二等辺直角三角柱形状である。
なお、平面視で略三角形であればよく、三角形の角は尖ってなくてもよい。
【００１６】
具体的に、筐体１００Ａは、上面を構成する天板部１１０と、正面を構成する正面部１２０と、正面部１２０に対する側面を構成する側壁部１３０と、底面を構成する底板部１４０とを有している。
また、正面部１２０には、正面部１２０の一部を構成するとともに開閉自在な扉部分１２１が設けられている。
筐体１００Ａの内部において、底板部１４０の上に、備蓄品が置かれるように構成され、扉部分１２１を開閉することにより、備蓄品を出し入れすることができる。
【００１７】
さらに、筐体１００Ａは、筐体１００Ａの底板部１４０における壁ＷＬに沿った縁部分１４１から下方に延設されてエレベーター内の設置面ＦＬと接触する接触部１５０を有している。
ここで、接触部１５０は、底板部１４０における壁ＷＬに沿った縁部分１４１より下方へ延設されていればよく、接触部１５０の延設は、底板部１４０の部材、側壁部１３０の部材のいずれか一方によるものでも両方によるものでも良いし、別部材によるものでもよい。
【００１８】
そして、接触部１５０が、設置面ＦＬに敷かれるカーペットＣＰの一部を収容自在な隙間を設置面ＦＬと底板部１４０との間に形成している。
本実施例で、設置面ＦＬと底板部１４０との間の距離は、一例として約２０ｍｍである。
また、正面部１２０の下端１２２と設置面ＦＬとの間の距離は、一例として約１０ｍｍである。
【００１９】
これにより、設置面ＦＬの形状に設けられたカーペットＣＰが設置面ＦＬに敷かれたときにカーペットＣＰの一部が隙間に入り込む。
その結果、カーペットＣＰを交換する際にエレベーター内設置用収納ボックス１００を移動させる手間を無くして、設置面ＦＬと底板部１４０との間の隙間に対してカーペットＣＰの一部としてのカーペットＣＰの角とその近傍を抜き差しするようにして容易にカーペットＣＰを交換することができる。
なお、正面部１２０の下端１２２が、底板部１４０から約１０ｍｍだけ下方に延びているが、底板部１４０と同じ高さでもよいのは言うまでもない。
【００２０】
より詳細には、接触部１５０が、底板部１４０の縁部分１４１から下方に延設された脚部分１５１と、脚部分１５１の先端と連結されて設置面ＦＬと面接触する二等辺直角三角形状の板部分１５２とを有している。
そして、正面部１２０の下端１２２と、板部分１５２と、脚部分１５１とが、開口ＡＰを形成し、カーペットＣＰの角とその近傍が、開口ＡＰに入り込み板部分１５２の上に載置される構成である。
【００２１】
これにより、設置面ＦＬに対する接触が面接触となり、備蓄品およびエレベーター内設置用収納ボックス１００の荷重が分散される。
その結果、設置面ＦＬの損傷を回避することができる。
さらに、脚部分１５１と板部分１５２との連結によって接触部１５０の剛性が高まる。
その結果、エレベーター内設置用収納ボックス１００の全体の剛性を高めることができる。
また、開口ＡＰの内部に入ったカーペットＣＰの角とその近傍の荷重が板部分１５２に作用する。
その結果、エレベーター内設置用収納ボックス１００を倒れにくくしてエレベーター内設置用収納ボックス１００の立った姿勢をより効果的に安定させることができる。
【００２２】
なお、筐体１００Ａの側壁部１３０には、留め具用穴１３１が形成されている。
留め具用穴１３１は、エレベーター内の壁ＷＬに接着した留め具の雄ネジを外側から内側へ挿通させ、筐体１００Ａの内部で雌ネジを雄ネジに螺合させて筐体１００Ａを壁ＷＬに留めるためのものである。
エレベーター内設置用収納ボックス１００の立った姿勢を安定させるために、留め具の雄ネジを用いずに、側壁部１３０の外側面とエレベーター内の壁ＷＬとを両面テープで接着させてもよい。
【００２３】
さらに、筐体１００Ａの内部において、側壁部１３０の内側には、ラック１６１が設けられている。
そして、ラック１６１には、棚板１６２が設置され、棚板１６２の上に備蓄品が置かれるように構成されている。
また、扉が開いたことを検知する扉センサー１７０と、扉が開くとブザー音を鳴らす防犯ブザー１８０とが設けられている。
本実施例では、接触部１５０が板部分１５２を有する構成について図示しながら説明したが、技術的思想としては、接触部１５０が、設置面ＦＬに敷かれるカーペットＣＰの一部を収容自在な隙間を設置面ＦＬと底板部１４０との間に形成すればよく、接触部１５０が、板部分１５２を有しない構成でもよいのは、言うまでもない。
【００２４】
さらに、正面部１２０の下端１２２がカーペットＣＰと接触するとともに、板部分１５２が正面部１２０の下端１２２から少し壁側に退避して設けられ、板部分１５２と正面部１２０の下端１２２とが鉛直方向において互いに対向しない構成としてもよい。
この場合、正面部１２０の下端１２２がカーペットＣＰから力を受けて、てこの原理により側壁部１３０を壁ＷＬに押しつけるように力が作用するため、エレベーター内設置用収納ボックス１００をより一層効果的に倒れにくくしてエレベーター内設置用収納ボックス１００の立った姿勢をより一層効果的に安定させることができる。
【００２５】
このようにして得られた本考案の実施例であるエレベーター内設置用収納ボックス１００は、筐体１００Ａの底板部１４０における壁ＷＬに沿った縁部分１４１から下方に延設されてエレベーター内の設置面ＦＬと接触する接触部１５０をさらに有し、接触部１５０が、設置面ＦＬに敷かれるカーペットＣＰの一部を収容自在な隙間を設置面ＦＬと底板部１４０との間に形成していることにより、カーペットＣＰを交換する際にエレベーター内設置用収納ボックス１００を移動させる手間を無くして設置面ＦＬと底板部１４０との間の隙間に対してカーペットＣＰの一部を抜き差しするようにして容易にカーペットＣＰを交換することができる。
【００２６】
さらに、筐体１００Ａが、直角三角柱形状であり、接触部１５０が、底板部１４０の縁部分１４１から下方に延設された脚部分１５１と、脚部分１５１の先端と連結されて設置面ＦＬと面接触する直角三角形状の板部分１５２とを有し、正面部１２０の下端１２２と、板部分１５２と、脚部分１５１とが、開口ＡＰを形成し、カーペットＣＰの一部が、開口ＡＰに入り込み板部分１５２の上に載置される構成であることにより、設置面ＦＬの損傷を回避するとともに、エレベーター内設置用収納ボックス１００の全体の剛性を高め、エレベーター内設置用収納ボックス１００を倒れにくくしてエレベーター内設置用収納ボックス１００の立った姿勢をより効果的に安定させることができるなど、その効果は甚大である。
【符号の説明】
【００２７】
１００  ・・・  エレベーター内設置用収納ボックス
１００Ａ・・・  筐体
１１０  ・・・  天板部
１２０  ・・・  正面部
１２１  ・・・  扉部分
１２２  ・・・  （正面部の）下端
１３０  ・・・  側壁部
１３１  ・・・  留め具用穴
１４０  ・・・  底板部
１４１  ・・・  壁沿いの縁部分
１５０  ・・・  接触部
１５１  ・・・  脚部分
１５２  ・・・  板部分
１６１  ・・・  ラック
１６２  ・・・  棚板
１７０  ・・・  扉センサー
１８０  ・・・  防犯ブザー
ＡＰ    ・・・  開口
ＣＰ    ・・・  カーペット
ＦＬ    ・・・  （エレベーター内の）設置面
ＷＬ    ・・・  （エレベーター内の）壁
【図１】
0003207905.tif 000003
【図２】
0003207905.tif 000004
【図３】
0003207905.tif 000005
【図４】
0003207905.tif 000006
【図５】
0003207905.tif 000007